【手続補正書】
【提出日】令和2年9月2日(2020.9.2)
【手続補正１】
【補正対象書類名】特許請求の範囲
【補正対象項目名】全文
【補正方法】変更
【補正の内容】
【特許請求の範囲】
【請求項１】
装置のフィンガープリントを作成するコンピュータシステムであって、
マーチャントシステムに動作可能に接続された装置管理システムを備え、
前記装置管理システムは、少なくとも１つのプロセッサを備え、
前記少なくとも１つのプロセッサは、
前記マーチャントシステムから前記装置に対応する第１のペイロードを受信することであって、前記第１のペイロードは、特定の形式のデータと、前記装置を識別するために使用される識別子と、を含む、前記第１のペイロードを受信すること、
前記第１のペイロードを解析して前記識別子を抽出すること、
前記識別子に関連するフィンガープリントを作成することであって、前記フィンガープリントは、
前記第１のペイロードの特定の形式を解析して該特定の形式の１つ以上の個別セクションにすること、
前記１つ以上の個別セクションの各々のセクション形式の記録を作成すること、によって作成される、前記フィンガープリントを作成すること、
前記装置に対応する後続の各ペイロードの形式を前記装置のフィンガープリントと比較して、前記装置が侵害されているかどうかを判定すること、を実行するように構成されている、コンピュータシステム。
【請求項２】
前記装置は、前記マーチャントシステムおよび前記装置管理システムから地理的に離れている、請求項１に記載のコンピュータシステム。
【請求項３】
前記第１のペイロードは、前記装置上で実行されているファームウェアのバージョンの指示を含み、前記フィンガープリントは、前記装置上で実行されているファームウェアのバージョンを含む、請求項１に記載のコンピュータシステム。
【請求項４】
前記装置から受信された後続の各ペイロードの形式を前記装置のフィンガープリントと比較して、前記装置が侵害されているかどうかを判定することは、
前記マーチャントシステムから前記装置に対応する第２のペイロードを受信することであって、前記第２のペイロードは、第２の特定の形式のデータと、第２の装置指示子と、を含み、該第２の装置指示子は、前記装置を識別するために使用される第２の識別子を含む、前記第２のペイロードを受信すること、
前記第２の特定の形式を前記フィンガープリントと比較して、前記装置が侵害されているかどうかを判定すること、を含む、請求項１に記載のコンピュータシステム。
【請求項５】
前記第２の特定の形式を前記フィンガープリントと比較して、前記装置が侵害されているかどうかを判定することは、
前記第２の特定の形式の１つ以上の個別セクションを、前記フィンガープリントに少なくとも部分的に基づいて、前記特定の形式の前記１つ以上の個別セクションの各々の前記セクション形式と比較すること、を含む、請求項４に記載のコンピュータシステム。
【請求項６】
前記少なくとも１つのプロセッサは、前記装置が侵害されたと判定すると、前記装置が侵害されたことを示すメッセージを送信するようにさらに構成される、請求項１に記載のコンピュータシステム。
【請求項７】
前記少なくとも１つのプロセッサは、前記装置が侵害されたと判定すると、任意のデータを復号することなく、前記装置に対応する後続のペイロードを無視するようにさらに構成される、請求項１に記載のコンピュータシステム。
【請求項８】
前記少なくとも１つのプロセッサは、前記第１のペイロードを支払い処理システムに送信するようにさらに構成される、請求項１に記載のコンピュータシステム。
【請求項９】
前記少なくとも１つのプロセッサは、前記装置が侵害されたと判定されたことに応答して、前記装置をディセーブルにするようにさらに構成される、請求項１に記載のコンピュータシステム。
【請求項１０】
前記少なくとも１つのプロセッサは、
前記装置のシリアル番号に基づいて前記の暗号化タイプを識別すること、
前記暗号化タイプに基づいて、前記第１のペイロードの少なくとも一部分を復号すること、を実行するようにさらに構成される、請求項１に記載のコンピュータシステム。
【請求項１１】
装置のフィンガープリントを作成する方法であって、
少なくとも１つのコンピューティングデバイスが、マーチャントシステムから装置に対応する第１のペイロードを受信することであって、前記第１のペイロードは、特定の形式のデータと、前記装置を識別するために使用される識別子と、を含む、前記第１のペイロードを受信すること、
前記少なくとも１つのコンピューティングデバイスが、前記識別子に関連付けられたフィンガープリントを作成することであって、前記フィンガープリントは、
前記第１のペイロードの特定の形式を解析して該特定の形式の１つ以上の個別セクションにすること、
前記１つ以上の個別セクションの各々のセクション形式の記録を作成すること、によって作成される、前記フィンガープリントを作成すること、
前記少なくとも１つのコンピューティングデバイスが、前記装置に対応する後続のペイロードの第２の特定の形式を前記装置のフィンガープリントと比較して、前記装置が侵害されているかどうかを判定すること、を備える方法。
【請求項１２】
前記少なくとも１つのコンピューティングデバイスが、前記装置から後続のペイロードを受信することであって、前記後続のペイロードは、前記第２の特定の形式のデータおよび前記識別子を含む、前記後続のペイロードを受信すること、
前記少なくとも１つのコンピューティングデバイスが、前記第２の特定の形式を前記フィンガープリントと比較するために前記フィンガープリントを検索すること、をさらに備える請求項１１に記載の方法。
【請求項１３】
前記少なくとも１つのコンピューティングデバイスが、前記マーチャントシステムから、前記装置に対応する後続のペイロードを受信すること、
前記装置が侵害されたと判定したことに応答して、前記少なくとも１つのコンピューティングデバイスが、前記後続のペイロードを廃棄すること、をさらに備える請求項１１に記載の方法。
【請求項１４】
前記少なくとも１つのコンピューティングデバイスが、前記マーチャントシステムから第２の装置に対応する複数のペイロードを受信することであって、前記複数のペイロードの各々は、対応する形式の対応するデータを含む、前記第２の装置に対応する複数のペイロードを受信すること、
前記少なくとも１つのコンピューティングデバイスが、前記第２の装置からの前記複数のペイロードの各々の対応する形式を、前記第２の装置に関連する第２のフィンガープリントと比較すること、
前記第２の装置から受信された複数のペイロードのうちの少なくとも１つのペイロードの対応する形式が、前記第２の装置に関連する第２のフィンガープリントと一致しないと判定すると、前記少なくとも１つのコンピューティングデバイスが、前記第２の装置の状態を変更して前記第２の装置が侵害されていることを示すこと、をさらに備える請求項１１に記載の方法。
【請求項１５】
前記装置が侵害されていないと判定したことに応答して、前記少なくとも１つのコンピューティングデバイスが、前記後続のペイロードを支払い処理システムに送信すること、をさらに備える請求項１１に記載の方法。
【請求項１６】
前記１つまたは複数の個別セクションのうちの１つの個別セクションの形式は、文字形式、１６進形式、および拡張マークアップ言語（ＸＭＬ）形式のうちの１つである、請求項１１に記載の方法。
【請求項１７】
装置のフィンガープリントを作成するためのプログラムを備える非一時的なコンピュータ可読媒体であって、前記プログラムは、少なくとも１つのコンピューティングデバイスによって実行されると、前記少なくとも１つのコンピューティングデバイスに、
コンピューティングシステムから前記装置に対応する第１のペイロードを受信することであって、前記第１のペイロードは、特定の形式のデータと、前記装置を識別するために使用される識別子と、を含む、前記第１のペイロードを受信すること、
前記第１のペイロードを解析して前記識別子を抽出すること、
前記識別子に関連付けられたフィンガープリントを作成することであって、前記フィンガープリントは、
前記第１のペイロードの特定の形式を解析して該特定の形式の１つ以上の個別セクションにすること、
前記１つ以上の個別セクションの各々のセクション形式の記録を作成すること、によって作成される、前記フィンガープリントを作成すること、
前記装置に対応する後続の各ペイロードの形式を前記装置のフィンガープリントと比較して、前記装置が侵害されているかどうかを判定すること、を実行させる、非一時的なコンピュータ可読媒体。
【請求項１８】
前記コンピューティングシステムは、マーチャントシステムを含む、請求項１７に記載の非一時的なコンピュータ可読媒体。
【請求項１９】
前記プログラムは、前記少なくとも１つのコンピューティングデバイスに、
前記コンピューティングシステムから第２の装置に対応する複数のペイロードを受信することであって、前記複数のペイロードの各々は、対応する形式の対応するデータを含む、前記第２の装置に対応する複数のペイロードを受信すること、
前記第２の装置からの前記複数のペイロードの各々の対応する形式を、前記第２の装置に関連する第２のフィンガープリントと比較すること、
前記第２の装置から受信された複数のペイロードのうちの少なくとも１つのペイロードの対応する形式が、前記第２の装置に関連する第２のフィンガープリントと一致しないと判定すると、前記複数のペイロードのうちの少なくとも１つのペイロードの少なくとも一部分を復号することを拒否すること、を実行させる、請求項１７に記載の非一時的なコンピュータ可読媒体。
【請求項２０】
前記コンピューティングシステムは、前記フィンガープリント及び前記第２のフィンガープリントは、同じフィンガープリントではない、請求項１９に記載の非一時的なコンピュータ可読媒体。